(57)【要約】      （修正有）【課題】シート前方側に他の乗物用シートが近接配置されている場合であっても、乗物用シートを所定位置に格納可能な乗物用シートの一例を開示する。【解決手段】乗物用シートは、「シートバック５を起立状態側から倒伏状態側に揺動させる揺動機能」、及び「シートバック５が起立状態側から倒伏状態側に揺動するときに当該シートバック５の揺動中心の位置を変位させる変位機能」を有する格納装置を備える。格納装置は、格納時中心位置が着座時中心位置よりもシート後方側に位置するように揺動中心を変位させる。これにより、シートバック５が倒伏状態となるときに、シートバック５全体がシート後方側に変位させることができるので、他の乗物用シートとシートバック５との干渉を回避でき得る。したがって、他の乗物用シートが近接配置されている場合であっても、乗物用シート１を所定位置に格納することが可能となる。【選択図】図１
2018188062.tif 000002
【特許請求の範囲】
【請求項１】
乗物に搭載される乗物用シートにおいて、
着席者の臀部を支持するためのシートクッションと、
着席者の背部を支持するためのシートバックであって、起立した着座位置とシート前方側に倒伏した格納位置との間で揺動可能なシートバックと、
「前記シートバックを起立状態側から倒伏状態側に揺動させる揺動機能」、及び「前記シートバックが起立状態側から倒伏状態側に揺動するときに当該シートバックの揺動中心の位置を変位させる変位機能」を有する格納装置とを備え、
前記シートバックが前記格納位置にあるときの前記揺動中心の位置を格納時中心位置とし、前記シートバックが前記着座位置にあるときの前記揺動中心の位置を着座時中心位置としたとき、
前記格納装置は、前記格納時中心位置が前記着座時中心位置よりもシート後方側に位置するように前記揺動中心を変位させる乗物用シート。
【請求項２】
前記格納装置は、前記格納時中心位置が、前記着座時中心位置よりもシート後方側であって、かつ、前記着座時中心位置より下方側に位置するように前記揺動中心を変位させる請求項１に記載の乗物用シート。
【請求項３】
前記格納装置は、
前記シートバックが前記着座位置から前記格納位置側に予め決められた停止位置までは前記変位機能を停止させた状態で前記揺動機能を作動させ、かつ、
前記シートバックが前記停止位置に到達した時に前記揺動機能を停止させるとともに、前記変位機能を作動させる
請求項１又は２に記載の乗物用シート。
【請求項４】
前記格納装置は、
前記変位機能の作動開始後、前記揺動中心が予め決められた開始位置に到達したときに前記揺動機能を作動させる
請求項３に記載の乗物用シート。
【発明の詳細な説明】
【技術分野】
【０００１】
本願は、乗物に搭載される乗物用シートに関する。
【背景技術】
【０００２】
例えば、特許文献１に記載の乗物用シートは、シートバックが倒伏した状態で当該乗物用シートを乗物の所定位置に格納可能である。
【先行技術文献】
【特許文献】
【０００３】
【特許文献１】特表２００９−５２３０９０号公報
【発明の概要】
【発明が解決しようとする課題】
【０００４】
例えば、シートバックの上下方向寸法が大きい場合、及び格納対象となる乗物用シートの前に他の乗物用シートが近接配置されている場合等においては、シートバックが倒伏する際に、当該他の乗物用シートと当該シートバックとが干渉する可能性がある。
【０００５】
そして、他の乗物用シートとシートバックとが干渉すると、当該シートバックを倒伏させることができないので、乗物用シートを所定位置に格納することができない。本願は、他の乗物用シートが近接配置されている場合であっても、乗物用シートを所定位置に格納可能な乗物用シートの一例を開示する。
【課題を解決するための手段】
【０００６】
乗物用シートは、「シートバック（５）を起立状態側から倒伏状態側に揺動させる揺動機能」、及び「シートバック（５）が起立状態側から倒伏状態側に揺動するときに当該シートバック（５）の揺動中心（Ｏｙ）の位置を変位させる変位機能」を有する格納装置（２０）を備える。
【０００７】
格納装置（２０）は、格納時中心位置が着座時中心位置よりもシート後方側に位置するように揺動中心（Ｏｙ）を変位させる。なお、格納時中心位置は、シートバック（５）が格納位置にあるときの揺動中心（Ｏｙ）の位置である。着座時中心位置は、シートバック（５）が着座位置にあるときの揺動中心（Ｏｙ）の位置である。
【０００８】
これにより、シートバック（５）が倒伏状態となるときに、シートバック（５）全体がシート後方側に変位させることができるので、他の乗物用シートとシートバック（５）との干渉を回避でき得る。したがって、他の乗物用シートが近接配置されている場合であっても、乗物用シートを所定位置に格納することが可能となる。
【０００９】
なお、本願は、以下のように構成してもよい。
すなわち、格納装置（２０）は、格納時中心位置が、着座時中心位置よりもシート後方側であって、かつ、着座時中心位置より下方側に位置するように揺動中心（Ｏｙ）を変位させることが望ましい。
【００１０】
これにより、例えば、シート後方側に荷室床（デッキ）等が存在する場合であっても、格納状態時に、当該荷室床とシートバック（５）の背面との間に大きな段差が発生することを抑制できる。
【００１１】
格納装置（２０）は、（ａ）シートバック（５）が着座位置から格納位置側に予め決められた停止位置までは変位機能を停止させた状態で揺動機能を作動させ、かつ、（ｂ）シートバック（５）が停止位置に到達した時に揺動機能を停止させるとともに、変位機能を作動させることが望ましい。これにより、他の乗物用シートとシートバック（５）との干渉を確実に回避でき得る。
【００１２】
さらに、格納装置（２０）は、変位機能の作動開始後、揺動中心（Ｏｙ）が予め決められた開始位置に到達したときに揺動機能を作動させることが望ましい。これにより、乗物用シートを早期に格納状態とすることができ得る。
【００１３】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【００１４】
【図１】本発明の実施形態に係る乗物用シートの概要を示す図である。
【図２】本発明の実施形態に係る乗物用シートの格納装置の作動説明図である。
【図３】本発明の実施形態に係る乗物用シートの格納装置の作動説明図である。
【図４】本発明の実施形態に係る乗物用シートの格納装置の作動説明図である。
【図５】本発明の実施形態に係る乗物用シートの格納装置の作動説明図である。
【図６】本発明の実施形態に係る乗物用シートの格納装置の作動説明図である。
【図７】本発明の実施形態に係る乗物用シートの格納装置の制御ブロック図である。
【図８】本発明の実施形態に係る乗物用シートの四節リンク機構の説明図である。
【図９】本発明の実施形態に係る制御部の制御タイムチャートである。
【発明を実施するための形態】
【００１５】
以下に説明する「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１６】
以下、本発明の実施形態を図面と共に説明する。なお、各図に付された方向を示す矢印等は、各図相互の関係を理解し易くするために記載したものである。本発明は、各図に付された方向に限定されるものではない。
【００１７】
少なくとも符号を付して説明した部材又は部位は、「１つの」等の断りをした場合を除き、少なくとも１つ設けられている。つまり、「１つの」等の断りがない場合には、当該部材は２以上設けられていてもよい。
【００１８】
（第１実施形態）
１．乗物用シートの概要
本実施形態は、図１に示す車両シートに本発明に係る乗物用シート１を適用したものである。乗物用シート１は、シートクッション３及びシートバック５等を少なくとも有する。なお、以下において、着席者とは、乗物の乗員や乗物用シート１を利用する者をいう。つまり、着席者には、現実に着席していない者も含まれる。
【００１９】
＜シートバック＞
シートバック５は着席者の背部を支持するための部位である。シートバック５の上端にはヘッドレスト５Ａが設けられている。ヘッドレスト５Ａは着席者の頭部を支持するための部位である。
【００２０】
バックフレーム７は、シートバック５の骨格を構成する強度部材である。当該バックフレーム７は、一対のサイドフレーム７Ａ、７Ｂ及びアッパフレーム７Ｃ等を有して構成されている。
【００２１】
各サイドフレーム７Ａ、７Ｂは、シート幅方向両端側それぞれに配設された状態で、略上下方向に延びている。アッパフレーム７Ｃは、各サイドフレーム７Ａ、７Ｂの上端側を連結している。
【００２２】
各サイドフレーム７Ａ、７Ｂの下端側、つまりバックフレーム７の下端側は、接続プレート７Ｄ、７Ｅを介してクッションフレーム９の後端側に連結されている。当該バックフレーム７は、クッションフレーム９に対してシート前後方向に揺動可能である。
【００２３】
具体的には、シートバック５は、図２に示す「着座位置」と図６に示す「格納位置」との間で揺動可能である。着座位置では、シートバック５は起立状態となり（図２参照）、乗物用シート１に着席者が着席可能な状態となる。
【００２４】
格納位置では、シートバック５は、起立状態に比べてシート前方側に倒伏した倒伏状態となり（図６参照）、シートバック５の背面５Ｂが上方側に面した状態となる。背面５Ｂとは、シートバック５のうち起立状態においてシート後方側に面している部位である。
【００２５】
＜シートクッション＞
シートクッション３は着席者の臀部を支持するための部位である。クッションフレーム９はシートクッション３の骨格を構成する強度部材である。
【００２６】
クッションフレーム９は、図１に示すように、一対のサイドフレーム１０Ａ、１０Ｂ、複数の連結ロッド材１１Ａ〜１１Ｃ、及びリフタリンク１２Ａ〜１２Ｄ等を少なくとも有して構成されている。各サイドフレーム１０Ａ、１０Ｂは、シート前後方向に延び、かつ、シート幅方向両端側それぞれに配設されている。
【００２７】
連結ロッド材１１Ａ〜１１Ｃは、シート幅方向に延びて各サイドフレーム１０Ａ、１０Ｂを連結する。連結ロッド材１１Ａ（以下、第１連結ロッド材１１Ａという。）は、一対のサイドフレーム１０Ａ、１０Ｂのシート前端側を連結する。
【００２８】
連結ロッド材１１Ｂ（以下、第２連結ロッド材１１Ｂという。）及び連結ロッド材１１Ｃ（以下、第３連結ロッド材１１Ｃという。）は、一対のサイドフレーム１０Ａ、１０Ｂのシート後端側を連結する。
【００２９】
本実施形態に係る第１連結ロッド材１１Ａ及び第２連結ロッド材１１Ｂは、各サイドフレーム１０Ａ、１０Ｂに回転可能に連結されている。つまり、第１連結ロッド材１１Ａ及び第２連結ロッド材１１Ｂそれぞれは、それぞれの中心軸線を中心に回転可能である。
【００３０】
第３連結ロッド材１１Ｃは、第２連結ロッド材１１Ｂよりシート後方側に配設されている。当該第３連結ロッド材１１Ｃは、各サイドフレーム１０Ａ、１０Ｂに溶接又はカシメ加工等により固定されている。
【００３１】
第１連結ロッド材１１Ａには、リフタリンク１２Ａ、１２Ｃ（以下、前側リフタリンク１２Ａ、１２Ｃという。）の上端側が固定されている。前側リフタリンク１２Ａ、１２Ｃの下端側は乗物側に揺動可能に連結されている。
【００３２】
つまり、前側リフタリンク１２Ａ、１２Ｃの上端側は、第１連結ロッド材１１Ａを介して各サイドフレーム１０Ａ、１０Ｂに対して揺動可能に連結された構成となる。なお、前側リフタリンク１２Ａ、１２Ｃは、一対のサイドフレーム１０Ａ、１０Ｂ間に配設され、かつ、その上端側が溶接にて第１連結ロッド材１１Ａに固定されている。
【００３３】
本実施形態に係る前側リフタリンク１２Ａ、１２Ｃの下端側は台座１３に揺動可能に連結されている。台座１３は、一対のベース部１３Ａ、１３Ｂ及びブリッジ部１３Ｃ等を有して構成されている。
【００３４】
一対のベース部１３Ａ、１３Ｂそれぞれは、シート前後方向に延びる帯状の部材であって、シート幅方向それぞれに設けられて乗物のフロアパネル等に固定されている。そして、前側リフタリンク１２Ａ、１２Ｃの下端側が各ベース部１３Ａ、１３Ｂに揺動可能に連結されている。
【００３５】
ブリッジ部１３Ｃは、シート幅方向に延びて一対のベース部１３Ａ、１３Ｂ間を渡すようにしてベース部１３Ａとベース部１３Ｂとを連結する。ブリッジ部１３Ｃと各ベース部１３Ａ、１３Ｂとは溶接にて一体化されている。
【００３６】
第２連結ロッド材１１Ｂには、リフタリンク１２Ｂ、１２Ｄ（以下、後側リフタリンク１２Ｂ、１２Ｄという。）の上端側が固定されている。後側リフタリンク１２Ｂ、１２Ｄの下端側は乗物側に揺動可能に連結されている。
【００３７】
後側リフタリンク１２Ｂ、１２Ｄは、第１リフタリンク１２Ａと同様な構成で各サイドフレーム１０Ａ、１０Ｂ及び乗物側に連結されている。
すなわち、後側リフタリンク１２Ｂ、１２Ｄの上端側は、第２連結ロッド材１１Ｂを介して各サイドフレーム１０Ａ、１０Ｂに揺動可能に連結されている。後側リフタリンク１２Ｂ、１２Ｄの下端側は、各ベース部１３Ａ、１３Ｂに揺動可能に連結されている。
【００３８】
なお、前側リフタリンク１２Ａと前側リフタリンク１２Ｃとは、第４連結ロッド材１１Ｄにより連結されている。第４連結ロッド材１１Ｄは、シート幅方向に延びて前側リフタリンク１２Ａの延び方向中間部と前側リフタリンク１２Ｃの長手方向中間部とを連結する。
【００３９】
２．格納装置
２．１  格納装置の概要
格納装置２０は、図７に示すように、リクライナ用モータ２１、リフタ用モータ２２及び制御部２３等を少なくとも有する。リクライナ用モータ２１は、シートバック５を揺動させる駆動力を発揮する電動機である。
【００４０】
リフタ用モータ２２は、リフタリンク１２Ａ〜１２Ｄを揺動させる駆動力を発揮する電動機である。制御部２３は、リクライナ用モータ２１及びリフタ用モータ２２の回転及び停止を制御する。
【００４１】
格納装置２０は、揺動機能及び変位機能を少なくとも有する。揺動機能は「シートバック５を起立状態側から倒伏状態側に揺動させる機能」である。変位機能は「シートバック５が起立状態側から倒伏状態側に揺動するときに当該シートバック５の揺動中心Ｏｙ（図２参照）の位置を変位させる機能」である。
【００４２】
格納装置２０は、変位機能の作動時において、格納時中心位置が着座時中心位置よりもシート後方側に位置するように揺動中心Ｏｙを変位させる。格納時中心位置とは、シートバック５が格納位置にあるときの揺動中心Ｏｙの位置（図６参照）をいう。着座中心位置とは、シートバック５が着座位置にあるときの揺動中心Ｏｙの位置（図２参照）いう。
【００４３】
２．２  シートバック（バックフレーム）の揺動機構
揺動機構は揺動機能を実現する機構である。当該揺動機構は、リクライナ２１Ａ（図１参照）、リクライナ用モータ２１及び制御部２３等を有して構成されている。リクライナ２１Ａは、リクライナ用モータ２１の回転を減速して揺動力を発生させるとともに、当該揺動力によりシートバック５を揺動させる。
【００４４】
２．３  シートクッション（クッションフレーム）の変位機構
＜変位機構の構成＞
変位機構は変位機能を実現するための機構である。具体的には、変位機構は、シートクッション３、つまりクッションフレーム９を着座位置と格納位置との間で変位させる。
【００４５】
変位機構は、四節リンク機構、リフタ用モータ２２及び制御部２３等により構成される。四節リンク機構は、サイドフレーム１０Ａ、１０Ｂ、前側リフタリンク１２Ａ、１２Ｃ及び後側リフタリンク１２Ｂ、１２Ｄ等により構成される（図８参照）。
【００４６】
なお、図８は、シート幅方向左端側に構成された四節リンク機構を示している。つまり、シート幅方向左端側の四節リンク機構は、サイドフレーム１０Ａ、前側リフタリンク１２Ａ及び後側リフタリンク１２Ｂ等により構成されている。
【００４７】
シート幅方向右端側の四節リンク機構は、サイドフレーム１０Ｂ、前側リフタリンク１２Ｃ及び後側リフタリンク１２Ｄ等により構成されている。以下、シート幅方向左端側の四節リンク機構を例に本実施形態に係る変位機構を説明する。
【００４８】
クッションフレーム９が着座位置にある状態では、各リフタリンク１２Ａ〜１２Ｄの上端は、それらリフタリンク１２Ａ〜１２Ｄの下端よりシート前方側に位置して起立状態となる。
【００４９】
すなわち、クッションフレーム９が着座位置にある状態では、図８に示すように、前側中心線ＬＦは前側鉛直線ＬＦｏよりシート前方側に傾いている。後側中心線ＬＲは後側鉛直線ＬＲｏよりシート前方側に傾いている。
【００５０】
なお、前側中心線ＬＦは、前側リフタリンク１２Ａ、１２Ｃの上端側連結中心と前側リフタリンク１２Ａ、１２Ｃの下端側連結中心とを通る仮想線である。前側鉛直線ＬＦｏは、前側リフタリンク１２Ａ、１２Ｃの下端側連結中心を通る仮想の鉛直線である。
【００５１】
後側中心線ＬＲは、後側リフタリンク１２Ｂ、１２Ｄの上端側連結中心と後側リフタリンク１２Ｂ、１２Ｄの下端側連結中心とを通る仮想線である。後側鉛直線ＬＲｏは、後側リフタリンク１２Ｂ、１２Ｄの下端側連結中心を通る仮想の鉛直線である。
【００５２】
リフタ用モータ２２は、リフタリンク１２Ａ〜１２Ｄを揺動変位させる。具体的には、リフタ用モータ２２は、第２連結ロッド材１１Ｂを回転させて後側リフタリンク１２Ｂ、１２Ｄを揺動させる。
【００５３】
これにより、クッションフレーム９は、図２〜図６に示すように、着座位置と格納位置との間を変位する。なお、前側リフタリンク１２Ａ、１２Ｃは、クッションフレーム９の変位に従動して揺動する。
【００５４】
＜変位機構の変位作動＞
クッションフレーム９は、第２連結ロッド材１１Ｂが第１の向きに回転すると、図２→図３→図４→図５→図６の順に着座位置から格納位置に変位する。第１の向きと逆向きの第２の向きに第２連結ロッド材１１Ｂが回転すると、クッションフレーム９は、図６→図５→図４→図３→図２の順に格納位置から着座位置に変位する。
【００５５】
クッションフレーム９が着座位置にあるときには、図２に示すように、クッションフレーム９の前端側が後端側より高くなっている。そして、後側リフタリンク１２Ｂ、１２Ｄが回転すると、前側リフタリンク１２Ａ、１２Ｃが当該回転に従動回転して、変位機構（四節リンク機構）が図３→図４→図５→図６の順で変化する。
【００５６】
クッションフレーム９に対する揺動中心Ｏｙの相対位置は不動である。このため、クッションフレーム９が四節リンク機構により変位すると、揺動中心Ｏｙは、格納時中心位置が着座時中心位置よりもシート後方側に位置し、かつ、格納時中心位置が着座時中心位置より下方側に位置するように変位する。
【００５７】
２．３  格納装置の作動
図９は、シートバック５を起立状態（着座位置）から倒伏状態（格納位置）に変位させる際のリクライナ用モータ２１及びリフタ用モータ２２の作動を示すタイムチャートである。図９中、実線の区間はモータが回転していることを示し、破線の区間はモータが停止していることを示している。
【００５８】
そして、格納装置２０、つまり制御部２３は、変位機能（リフタ用モータ２２）を停止させた状態で揺動機能（リクライナ用モータ２１）を作動させる。このとき、制御部２３は、シートバック５が着座位置から格納位置側に予め決められた停止位置に到達するまでの間は、リフタ用モータ２２を停止させる。これにより、図２→図３に示すように、シートバック５は、揺動中心Ｏｙが着座位置に保持されたままシートバック５がシート前方側に揺動していく。
【００５９】
次に、制御部２３は、シートバック５が停止位置に到達した時に揺動機能（リクライナ用モータ２１）を停止させるとともに、変位機能（リフタ用モータ２２）を作動させる。これにより、図３→図４に示すように、クッションフレーム９に対するシートバック５の揺動角度が保持されたまま揺動中心Ｏｙがシート後方側に変位していく。
【００６０】
そして、制御部２３は、変位機能（リフタ用モータ２２）の作動開始後、揺動中心Ｏｙが予め決められた開始位置に到達したときに揺動機能（リクライナ用モータ２１）を作動させる。これにより、図４→図５→図６に示すように、揺動中心Ｏｙは、シート後方側に変位しながら下方側に変位していく。
【００６１】
なお、制御部２３は、シートバック５が倒伏状態（図６参照）になったときにリクライナ用モータ２１を停止させる。制御部２３は、クッションフレーム９（乗物用シート１）が格納位置まで後退したときにリフタ用モータ２２を停止させる。
【００６２】
３．本実施形態に係る乗物用シートの特徴
本実施形態では、シートバック５が倒伏状態側に揺動するときに、シートバック５全体がシート後方側に変位するので、乗物用シート１のシート前方側に配設された他の乗物用シートとシートバック５との干渉を回避でき得る。したがって、他の乗物用シートが近接配置されている場合であっても、乗物用シート１を所定位置に格納することが可能となる。
【００６３】
格納装置２０は、格納時中心位置が、着座時中心位置よりもシート後方側であって、かつ、着座時中心位置より下方側に位置するように揺動中心Ｏｙを変位させる。
これにより、例えば、シート後方側に荷室床（デッキ）等が存在する場合であっても、格納状態時に、当該荷室床とシートバック５の背面との間に大きな段差が発生することを抑制できる。
【００６４】
格納装置２０は、（ａ）シートバック５が着座位置から格納位置側に予め決められた停止位置までは変位機能を停止させた状態で揺動機能を作動させ、かつ、（ｂ）シートバック５が停止位置に到達した時に揺動機能を停止させるとともに、変位機能を作動させる。これにより、他の乗物用シートとシートバック５との干渉を確実に回避でき得る。
【００６５】
さらに、格納装置２０は、変位機能の作動開始後、揺動中心Ｏｙが予め決められた開始位置に到達したときに揺動機能を作動させる。これにより、乗物用シート１を早期に格納状態とすることができ得る。
【００６６】
（その他の実施形態）
上述の実施形態では、台座１３を介して乗物用シート１が乗物に装着固定されていた。しかし、本願明細書に開示された発明はこれに限定されるものではない。すなわち、例えば、台座１３を廃止してもよい。
【００６７】
上述の実施形態では、前側リフタリンク長さは後側リフタリンク長さより大きくなっていた。しかし、本願明細書に開示された発明はこれに限定されるものではない。すなわち、例えば、前側リフタリンク長さと後側リフタリンク長さとが同一でもよい。
【００６８】
上述の実施形態では、着座位置におけるサイドフレーム１０Ａ、１０Ｂのシート前端側は、着座位置におけるサイドフレーム１０Ａ、１０Ｂのシート後端側より上方側に位置していた。しかし、本願明細書に開示された発明はこれに限定されるものではない。すなわち、例えば、着座位置におけるサイドフレーム１０Ａ、１０Ｂのシート前端側と着座位置におけるサイドフレーム１０Ａ、１０Ｂのシート後端側とが略同一高さとなっていてもよい。
【００６９】
上述の実施形態では、前側リフタリンク１２Ａの延び方向中間部と前側リフタリンク１２Ｃの長手方向中間部とが第４連結ロッド材１１Ｄにより連結されていた。しかし、本願明細書に開示された発明はこれに限定されるものではない。
【００７０】
すなわち、例えば、第４連結ロッド材１１Ｄが廃止された構成、又は前側リフタリンク１２Ａ、１２Ｃの上端側若しくは下端側が第４連結ロッド材１１Ｄで連結された構成であってもよい。
【００７１】
上述の実施形態に係る制御部２３は、着座位置を基準とする経過時間を利用して「停止位置」及び「開始位置」を特定してリクライナ用モータ２１及びリフタ用モータ２２の回転及び停止を制御した。
【００７２】
しかし、本願明細書に開示された発明はこれに限定されるものではない。すなわち、例えば、エンコーダ又は近接スイッチ等にてシートバック５の揺動角度及びリフタリンク１２Ａ〜１２Ｄの揺動角度を検出し、当該検出された揺動角度にてモータ２１、２２の回転及び停止を制御してもよい。
【００７３】
上述の実施形態では、乗用車の後部シートに本発明に係る乗物用シートを適用した。しかし、本発明の適用はこれに限定されるものではなく、その他の自動車用シート、又は鉄道車両、船舶及び航空機等の乗物に用いられるシートにも適用できる。
【００７４】
さらに、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【００７５】
１… 乗物用シート  ３… シートクッション  ５… シートバック
７… バックフレーム  ７Ａ、７Ｂ… サイドフレーム
９… クッションフレーム  １０Ａ、１０Ｂ… サイドフレーム
１１Ａ〜１１Ｄ… 連結ロッド材  １２Ａ〜１２Ｄ… リフタリンク
２０… 格納装置  ２１… リクライナ用モータ  ２２… リフタ用モータ
２３… 制御部
【図１】
2018188062.tif 000003
【図２】
2018188062.tif 000004
【図３】
2018188062.tif 000005
【図４】
2018188062.tif 000006
【図５】
2018188062.tif 000007
【図６】
2018188062.tif 000008
【図７】
2018188062.tif 000009
【図８】
2018188062.tif 000010
【図９】
2018188062.tif 000011